(57)【要約】【課題】再生専用光ディスクのリンキングエリアを有効活用する。【解決手段】リンキングエリアとして、ユーザデータ部と異なる同期符号と、リンキングエリアの識別子をもったアドレス情報と、ユーザデータ部のアドレス情報と同じエラー訂正符号と、クラスタ前後に分散された補助情報を定義することにより、書き換え型光ディスクとの再生互換を最大限発揮しつつ、シークタイムも向上させることができる。【選択図】  図４
2004206779.tif 000002
【特許請求の範囲】
【請求項１】
ユーザデータが記録された複数のクラスタと、前記クラスタ間にリンキングエリアが配置された光ディスクであって、
前記ユーザデータを記録するクラスタは複数のフレームから構成され、前記クラスタ内の各フレーム先頭にはフレーム同期符号が配置され、前記リンキングエリアは前記クラスタと同じ長さのフレームを単位としてその整数倍で構成され、前記リンキングエリアの先頭には前記クラスタ内のフレーム同期符号とは異なるフレーム同期符号が配置され、前記リンキングエリア内の各フレーム同期符号に続けてアドレス情報を記録したことを特徴とする光ディスク。
【請求項２】
前記ユーザデータが記録された複数のクラスタには、アドレス情報も重畳されて記録されていることを特徴とする請求項１記載の光ディスク。
【請求項３】
前記クラスタ内に重畳されているアドレス情報と、前記リンキングエリアのアドレス情報の両方で、同じ誤り訂正符号を用いたことを特徴とする請求項２記載の光ディスク。
【請求項４】
前記クラスタに重畳されたアドレス情報とリンキングエリアのアドレス情報は、アドレスの重複なく構成され、アドレス情報からリンキングエリアが識別可能なことを特徴とする請求項２記載の光ディスク。
【請求項５】
前記リンキングエリアのアドレス情報には、リンキングエリアを識別するための識別子が含まれていることを特徴とする請求項２記載の光ディスク。
【請求項６】
前記各リンキングエリアの最初のフレームにおけるアドレス情報として、直前のクラスタと同じ物理アドレス位置情報とリンキングエリアを示す識別子が記録され、リンキングエリアの最後のフレームにおけるアドレス情報として、直後のクラスタと同じ物理アドレス位置情報とリンキングエリアを示す識別子が、少なくとも記録されていることを特徴とする請求項５記載の光ディスク。
【請求項７】
ユーザデータの記録されたクラスタの再生に必要な補助情報が、クラスタ直前のリンキングエリアの後半部分と、クラスタ直後のリンキングエリアの前半部分に分散されて記録されていることを特徴とする光ディスク。
【請求項８】
ユーザデータの記録されたクラスタの再生に必要な補助情報が、クラスタ直前のリンキングエリアの後半部分と、クラスタ直後のリンキングエリアの前半部分に２度記録されていることを特徴とする光ディスク。
【請求項９】
前記光ディスクは、ピットでデータが形成された再生専用ディスクであることを特徴とする請求項１から請求項８記載の光ディスク。
【請求項１０】
ユーザデータが記録された複数のクラスタと、クラスタ間に配置されたリンキングエリアで異なったフレーム同期符号が配置された光ディスクの再生装置であって、
フレーム同期符号を再生する手段と、前記再生されたフレーム同期符号からユーザデータが記録されたクラスタ領域とリンキングエリアを識別する手段と、前記クラスタ領域においてはフレーム同期信号に続くデータを複数フレームにわたって再生する手段と、前記リンキングエリアにおいてはフレーム同期符号につづいてアドレス情報を再生する手段とを少なくとも具備したことを特徴とする光ディスク再生装置。
【請求項１１】
前記ユーザデータが記録された複数のクラスタに重畳されたアドレス情報を再生する手段を具備したことを特徴とする請求項１０記載の光ディスク再生装置。
【請求項１２】
前記クラスタ内に重畳されているアドレス情報の誤り訂正手段を具備し、リンキングエリアのアドレス情報の誤り訂正においても前記誤り訂正手段で処理することを特徴とする請求項１１記載の光ディスク再生装置。
【請求項１３】
前記クラスタに重畳されたアドレス情報と、アドレス重複なく記録されているリンキングエリアのアドレス情報から、リンキングエリアを識別する手段を具備したことを特徴とする請求項１１記載の光ディスク再生装置。
【請求項１４】
リンキングエリアを識別するための識別子が含まれたアドレス情報から識別子を抽出する手段と、抽出した識別子に基づいてリンキングエリアを識別する手段を具備したことを特徴とする請求項１１記載の光ディスク再生装置。
【請求項１５】
クラスタ直前のリンキングエリアの後半部分を再生し第１の補助情報を得る手段と、クラスタ直後のリンキングエリアの前半部分を再生し第２の補助情報を得る手段と、前記第１の補助情報および第２の補助情報からクラスタの再生に必要な補助情報を得る手段とを具備した光ディスク再生装置。
【請求項１６】
クラスタ直前のリンキングエリアの後半部分を再生し第１の補助情報を得る手段と、クラスタ直後のリンキングエリアの前半部分を再生し第２の補助情報を得る手段と、前記第１の補助情報または第２の補助情報からクラスタの再生に必要な補助情報を得る手段とを具備した光ディスク再生装置。
【請求項１７】
ユーザデータが記録された複数のクラスタと、クラスタ間に配置されたリンキングエリアで異なったフレーム同期符号が配置された光ディスクの再生方法であって、
フレーム同期符号を再生するステップと、前記再生されたフレーム同期符号からユーザデータが記録されたクラスタ領域とリンキングエリアを識別するステップと、前記クラスタ領域においてはフレーム同期信号に続くデータを複数フレームにわたって再生するステップと、前記リンキングエリアにおいてはフレーム同期符号につづいてアドレス情報を再生するステップとを少なくとも含むことを特徴とする光ディスク再生方法。
【請求項１８】
前記ユーザデータが記録された複数のクラスタに重畳されたアドレス情報を再生するステップを含むことを特徴とする請求項１７記載の光ディスク再生方法。
【請求項１９】
前記クラスタ内に重畳されているアドレス情報の誤り訂正ステップを具備し、リンキングエリアのアドレス情報の誤り訂正においても前記誤り訂正ステップで処理することを特徴とする請求項１８記載の光ディスク再生方法。
【請求項２０】
前記クラスタに重畳されたアドレス情報と、アドレス重複なく記録されているリンキングエリアのアドレス情報から、リンキングエリアを識別するステップを含むことを特徴とする請求項１８記載の光ディスク再生方法。
【請求項２１】
リンキングエリアを識別するための識別子が含まれたアドレス情報から識別子を抽出するステップと、抽出した識別子に基づいてリンキングエリアを識別するステップを含むことを特徴とする請求項１８記載の光ディスク再生方法。
【請求項２２】
クラスタ直前のリンキングエリアの後半部分を再生し第１の補助情報を得るステップと、クラスタ直後のリンキングエリアの前半部分を再生し第２の補助情報を得るステップと、前記第１の補助情報および第２の補助情報からクラスタの再生に必要な補助情報を得るステップとを含む光ディスク再生方法。
【請求項２３】
クラスタ直前のリンキングエリアの後半部分を再生し第１の補助情報を得るステップと、クラスタ直後のリンキングエリアの前半部分を再生し第２の補助情報を得るステップと、前記第１の補助情報または第２の補助情報からクラスタの再生に必要な補助情報を得るステップとを含む光ディスク再生方法。
【請求項２４】
ユーザデータにアドレス情報を重畳する手段と、前記アドレス重畳されたユーザデータをフレーム単位に分割する手段と、フレーム単位でフレーム同期信号を付加する手段と、前記同期信号が付加された複数のフレームをクラスタ単位に分割する手段と、前記クラスタ単位で記録信号を生成する手段と、前記クラスタ内の同期信号とは異なる別の同期信号を発生する手段と、前記別の同期信号に続けてアドレス情報および補助情報を付加する手段と、前記別の同期信号とアドレス情報と補助情報からリンキングエリアの記録信号を生成する手段と、前記クラスタ単位の記録信号と前記リンキングエリアの記録信号を交互にディスクに記録する制御手段を具備したことを特徴とする光ディスク記録装置。
【請求項２５】
ユーザデータにアドレス情報を重畳するステップと、前記アドレス重畳されたユーザデータをフレーム単位に分割するステップと、フレーム単位でフレーム同期信号を付加するステップと、前記同期信号が付加された複数のフレームをクラスタ単位に分割するステップと、前記クラスタ単位で記録信号を生成するステップと、前記クラスタ内の同期信号とは異なる別の同期信号を発生するステップと、前記別の同期信号に続けてアドレス情報および補助情報を付加するステップと、前記別の同期信号とアドレス情報と補助情報からリンキングエリアの記録信号を生成するステップと、前記クラスタ単位の記録信号と前記リンキングエリアの記録信号を交互にディスクに記録するステップを少なくとも含むことを特徴とする光ディスク記録方法。
【発明の詳細な説明】
【０００１】
【発明の属する技術分野】
本発明は、光ディスク、光ディスク再生装置および光ディスクの再生方法、光ディスクの記録装置および光ディスクの記録方法に関する。本発明は特に、ユーザデータがクラスタ単位で記録され、クラスタ間にリンキングエリアが配置されている光ディスク、およびその光ディスクの再生装置、再生方法、記録装置、記録方法に関する。
【０００２】
【従来の技術】
書き換え可能な光ディスクにおいては、データを必ずしもディスク全面に渡って連続して記録するとは限らないためディスクの一部を任意に書き換える必要がある。このため書き換え可能なデータの単位をクラスタとして定義し、このクラスタ単位でデータを書き換える方法がある。この場合クラスタとクラスタの間にリンキングエリアと呼ばれる緩衝領域を設定し、特定クラスタのデータの書き換えに際して、記録位置が若干ずれても前後のクラスタにまったく影響がなく書き換えを可能とすることが考えられている。（例えば、特許文献１参照）。またリンキングエリアは、書き換え開始時のレーザパワーの応答区間としても活用されている。
【０００３】
また、ユーザデータエリアがディスクの反射率変化で記録されるような追記型光ディスクにおいては、リンキングエリアに限った特殊なピット列をもってアドレスを記録し、そのアドレス再生信号を記録開始時の位置決め情報として構成している例がある。（例えば、特許文献２参照）。
【０００４】
また従来の再生専用ディスクにおいては、リンキングの処理自体必要なく、レーザパワーの制御領域も不要のため、リンキングエリアに相当する領域は設けないのが普通である。（例えば、非特許文献1参照）。 この場合、アドレス情報は、非特許文献１のＦｉｇｕｒｅ１６−Ｄａｔａ ＦｒａｍｅにおいてＩＤで示されるように、メインデータ中に一定間隔（この場合は約２キロバイトごと）で埋め込まれているのが普通である。
【０００５】
【特許文献１】特開平１０−１２５００５（図２５）
【特許文献２】特開平９−１６９７１（図１）
【非特許文献１】ヨーロッパ電子計算機工業会規格ＥＣＭＡ−２６７、１２０ｍｍ ＤＶＤ−Ｒｅａｄ−Ｏｎｌｙ Ｄｉｓｋ ｐａｇｅ２３−２６
【０００６】
【発明が解決しようとする課題】
従来例では、書き換え可能な光ディスクまたは追記型光ディスクと、再生専用光ディスクではリンキングエリアの有無の違いがあるため、光ディスク再生機器においては２種類の異なったフォーマットをサポートする必要があり、再生互換をとりにくいという課題があった。
【０００７】
また再生専用光ディスクにおいて、書き換え型光ディスクとの互換を重視し、リンキングエリアを含むフォーマットを定義することは可能であるが、本来再生専用光ディスクにおいてはリンキングエリアが不要なため、この領域を有効活用することが課題であった。さらにユーザデータの記録されたクラスタ領域では、再生専用光ディスクにおいても、アドレス情報がユーザデータに重畳されてピットで記録されているのが普通であるが、リンキングエリアにはアドレスが含まれていないため、この領域に適切なアドレスフォーマットを定義し、シークタイムを向上させるのが課題であった。
【０００８】
また、リンキングエリアを例えば２フレーム以上確保した場合、アドレス以外にも補助情報を記録することが可能であるが、高密度化した最近の光ディスクにおいては２フレーム程度のバーストエラーは頻繁に発生するため、適切かつ容易に補助情報を分散記録することが課題であった。
【０００９】
本発明の目的は、書き換え可能な光ディスクと同じリンキングエリアを持った再生専用光ディスクにおいて、そのリンキングエリアの有効な活用方法を提供することである。  
【００１０】
【課題を解決するための手段】
本発明の第１の光ディスクは、ユーザデータが記録された複数のクラスタと、前記クラスタ間にリンキングエリアが配置され、前記ユーザデータを記録するクラスタは複数のフレームから構成され、前記クラスタ内の各フレーム先頭にはフレーム同期符号が配置され、前記リンキングエリアは前記クラスタと同じ長さのフレームを単位としてその整数倍で構成され、前記リンキングエリアの先頭には前記クラスタ内のフレーム同期符号とは異なるフレーム同期符号が配置され、前記リンキングエリア内の各フレーム同期符号に続けてアドレス情報を記録したことを特徴とする。
【００１１】
前記ユーザデータが記録された複数のクラスタには、アドレス情報も重畳して記録することができる。
【００１２】
前記クラスタ内に重畳されているアドレス情報と、前記リンキングエリアのアドレス情報の両方で、同じ誤り訂正符号を用いることができる。
【００１３】
前記クラスタに重畳されたアドレス情報とリンキングエリアのアドレス情報は、アドレスの重複なく構成し、アドレス情報からリンキングエリアを識別することができる。
【００１４】
前記リンキングエリアのアドレス情報には、リンキングエリアを識別するための識別子を含むことができる。
【００１５】
前記各リンキングエリアの最初のフレームにおけるアドレス情報として、直前のクラスタと同じ物理アドレス位置情報とリンキングエリアを示す識別子を記録し、リンキングエリアの最後のフレームにおけるアドレス情報として、直後のクラスタと同じ物理アドレス位置情報とリンキングエリアを示す識別子を記録することができる。
【００１６】
本発明の第２の光ディスクは、ユーザデータの記録されたクラスタの再生に必要な補助情報は、クラスタ直前のリンキングエリアの後半部分と、クラスタ直後のリンキングエリアの前半部分に分散して記録することができる。
【００１７】
本発明の第３の光ディスクは、ユーザデータの記録されたクラスタの再生に必要な補助情報は、クラスタ直前のリンキングエリアの後半部分と、クラスタ直後のリンキングエリアの前半部分に２度記録することができる。
【００１８】
以上いずれの光ディスクにおいても、ピットでデータが形成された再生専用ディスクとすることができる。
【００１９】
本発明の第１の光ディスク再生装置は、ユーザデータが記録された複数のクラスタと、クラスタ間に配置されたリンキングエリアで異なったフレーム同期符号が配置された光ディスクに対して、フレーム同期符号を再生する手段と、前記再生されたフレーム同期符号からユーザデータが記録されたクラスタ領域とリンキングエリアを識別する手段と、前記クラスタ領域においてはフレーム同期信号に続くデータを複数フレームにわたって再生する手段と、前記リンキングエリアにおいてはフレーム同期符号につづいてアドレス情報を再生する手段とを少なくとも具備したことを特徴とする。
【００２０】
前記ユーザデータが記録された複数のクラスタに重畳されているアドレス情報を再生する手段を具備することを特徴とすることができる。
【００２１】
前記クラスタ内に重畳されているアドレス情報の誤り訂正手段を具備し、リンキングエリアのアドレス情報の誤り訂正においても前記誤り訂正手段で処理することを特徴とすることができる。
【００２２】
前記クラスタに重畳されたアドレス情報と、アドレス重複なく記録されているリンキングエリアのアドレス情報から、リンキングエリアを識別する手段を具備することを特徴とすることができる。
【００２３】
前記各リンキングエリアを識別するための識別子が含まれたアドレス情報から識別子を抽出する手段と、抽出した識別子に基づいてリンキングエリアを識別する手段を具備することを特徴とすることができる。
【００２４】
本発明の第２の光ディスク再生装置は、クラスタ直前のリンキングエリアの後半部分を再生し第１の補助情報を得る手段と、クラスタ直後のリンキングエリアの前半部分を再生し第２の補助情報を得る手段と、前記第１の補助情報および第２の補助情報からクラスタの再生に必要な補助情報を得る手段とを具備することを特徴とする。
【００２５】
本発明の第３の光ディスク再生装置は、クラスタ直前のリンキングエリアの後半部分を再生し第１の補助情報を得る手段と、クラスタ直後のリンキングエリアの前半部分を再生し第２の補助情報を得る手段と、前記第１の補助情報または第２の補助情報からクラスタの再生に必要な補助情報を得る手段とを具備することを特徴とする。
【００２６】
本発明の第１の光ディスク再生方法は、ユーザデータが記録された複数のクラスタと、クラスタ間に配置されたリンキングエリアで異なったフレーム同期符号が配置された光ディスクに対して、フレーム同期符号を再生するステップと、前記再生されたフレーム同期符号からユーザデータが記録されたクラスタ領域とリンキングエリアを識別するステップと、前記クラスタ領域においてはフレーム同期信号に続くデータを複数フレームにわたって再生するステップと、前記リンキングエリアにおいてはフレーム同期符号につづいてアドレス情報を再生するステップとを少なくとも含むことを特徴とする。
【００２７】
前記ユーザデータが記録された複数のクラスタに重畳されたアドレス情報を再生するステップを含むことを特徴とすることができる。
【００２８】
前記クラスタ内に重畳されているアドレス情報の誤り訂正ステップを具備し、リンキングエリアのアドレス情報の誤り訂正においても前記誤り訂正ステップで処理することを特徴とすることができる。
【００２９】
前記クラスタに重畳されたアドレス情報と、アドレス重複なく記録されているリンキングエリアのアドレス情報から、リンキングエリアを識別するステップを含むことを特徴とすることができる。
【００３０】
リンキングエリアを識別するための識別子が含まれたアドレス情報から識別子を抽出するステップと、抽出した識別子に基づいてリンキングエリアを識別するステップを含むことを特徴とすることができる。
【００３１】
本発明の第２の光ディスク再生方法は、クラスタ直前のリンキングエリアの後半部分を再生し第１の補助情報を得るステップと、クラスタ直後のリンキングエリアの前半部分を再生し第２の補助情報を得るステップと、前記第１の補助情報および第２の補助情報からクラスタの再生に必要な補助情報を得るステップを含むことを特徴とする。
【００３２】
本発明の第３の光ディスク再生方法は、クラスタ直前のリンキングエリアの後半部分を再生し第１の補助情報を得るステップと、クラスタ直後のリンキングエリアの前半部分を再生し第２の補助情報を得るステップと、前記第１の補助情報または第２の補助情報からクラスタの再生に必要な補助情報を得るステップを含むことを特徴とする。
【００３３】
本発明の第１の光ディスク記録装置は、ユーザデータにアドレス情報を重畳する手段と、前記アドレス重畳されたユーザデータをフレーム単位に分割する手段と、フレーム単位でフレーム同期信号を付加する手段と、前記同期信号が付加された複数のフレームをクラスタ単位に分割する手段と、前記クラスタ単位で記録信号を生成する手段と、前記クラスタ内の同期信号とは異なる別の同期信号を発生する手段と、前記別の同期信号に続けてアドレス情報および補助情報を付加する手段と、前記別の同期信号とアドレス情報と補助情報からリンキングエリアの記録信号を生成する手段と、前記クラスタ単位の記録信号と前記リンキングエリアの記録信号を交互にディスクに記録する制御手段を具備したことを特徴とする。
【００３４】
本発明の第１の光ディスク記録方法は、ユーザデータにアドレス情報を重畳するステップと、前記アドレス重畳されたユーザデータをフレーム単位に分割するステップと、フレーム単位でフレーム同期信号を付加するステップと、前記同期信号が付加された複数のフレームをクラスタ単位に分割するステップと、前記クラスタ単位で記録信号を生成するステップと、前記クラスタ内の同期信号とは異なる別の同期信号を発生するステップと、前記別の同期信号に続けてアドレス情報および補助情報を付加するステップと、前記別の同期信号とアドレス情報と補助情報からリンキングエリアの記録信号を生成するステップと、前記クラスタ単位の記録信号と前記リンキングエリアの記録信号を交互にディスクに記録するステップを含むことを特徴とする。
【００３５】
【発明の実施の形態】
以下、添付の図面を参照して本発明の実施の形態を説明する。
【００３６】
（実施の形態１）
図１は本発明の光ディスクにおけるアドレス情報の例である。図１のアドレス情報１００に示すように、アドレス情報はＡＦ０−ＡＦ７の８バイトで構成されている。ＡＦ０からＡＦ３に示す最初の４バイトがディスク上の物理位置に対応する物理アドレス情報、ＡＦ４からＡＦ７に示す後半の４バイトがエラー訂正符号である。エラー訂正符号としてはリードソロモン符号などが使われる。
【００３７】
図１の下段に、アドレス情報最初の４バイトの内訳を詳細に示す。１０１はクラスタ識別ビットで、ディスク上に存在する全クラスタに対する通し番号である。本例では２７ビットある。１０２はクラスタ内オフセットで、クラスタ内に複数記録されているアドレス情報のクラスタ内での位置を規定する。本例では後述するようにクラスタ内にアドレス情報が１６回記録されているので、クラスタ内オフセットとしては４ビット必要である。１０３はリンキングエリア識別ビットで、クラスタ内のアドレス情報では常に０、リンキングエリアでは常に１である。１０４はエラー訂正符号で、アドレス情報のエラー検出や訂正を行う。
【００３８】
図２は本発明の光ディスクにおけるクラスタの構成図である。図２において、２０１はフレーム同期符号で、本実施例では後述するＦＳ０からＦＳ７の８種類を定義している。図２において横１列が１フレームである。２０２はアドレス情報で、フレーム同期符号の直後およびユーザデータ中に１バイトずつ分散して配置される。アドレス情報は８バイトであるから、一組のアドレス例えばＡＦ０,０からＡＦ７,０は、最初の４フレームに分散配置されている。ここで１番目の添え字は図１で示した８バイトあるアドレス情報のバイト位置を、２番目の添え字はクラスタ内オフセットを示す。アドレス情報を分散配置する理由はバーストエラーに対して強くするためである。また、クラスタ内のアドレス情報なので、図１で示したリンキングエリア識別ビットは０である。
【００３９】
本例では、アドレス情報が４フレームに分散配置された後、次の４フレームには制御情報２０４が分散配置されると仮定している。制御情報は例えばユーザデータの種類等が埋め込まれる領域であり、必ずしも使用する必要はない。
【００４０】
以上が繰り返され、１クラスタ内には、８フレームごとにアドレス情報が１６回記録されるので、本実施例の光ディスクではクラスタは、８×１６＝１２８フレームで構成されることになる。２０５はクラスタ内で最終のオフセット１５のアドレス情報である。
【００４１】
図３は、本発明の光ディスクにおけるクラスタとリンキングエリアの関係を示す図である。３０２、３０４はクラスタであり、前述のように１２８フレームある。３０１、３０３、３０５はリンキングエリアであり、クラスタと交互に配置される。リンキングエリアの長さは本実施例では２フレームである。
【００４２】
図４は、リンキングエリアの詳細構成を示す図である。４０１は直前のクラスタの最終フレームの同期符号でＦＳ７、４０２は直前のクラスタの最終フレームを示す。４０３はリンキングエリアの最初の同期符号ＦＳ８であり、ＦＳ８はクラスタ内には出現しない同期符号である。４０４はリンキングエリア内のアドレス情報ＡＤＲ１、４０５は補助情報ＡＵＸ１、４０６はリンキングエリア２番目の同期符号ＦＳ８、４０７はリンキングエリアの２番目のアドレス情報ＡＤＲ２、４０８は補助情報ＡＵＸ２である。４０９は、直後のクラスタの最初の同期符号ＦＳ０、４１０は直後のクラスタの最初のフレームである。
【００４３】
本例では、アドレス情報としてクラスタと同じ８バイト構成とし、ＡＤＲ１においては図示しているように、直前のクラスタに含まれるアドレス情報と同じクラスタ識別ビットを、クラスタ内オフセットは同じく直前のクラスタ内アドレス情報と同じ’１５’を、リンキングエリア識別ビットは１を用いている。これを同期符号ＦＳ８の直後に分散処理をせず、８バイト集中して配置する。リンキングエリア内でアドレス情報の分散処理を行わない理由は、リンキングエリアが僅か２フレームしかないからである。
【００４４】
また、ＡＤＲ２においては、直後のクラスタに含まれるアドレス情報と同じクラスタ識別ビットを、クラスタ内オフセットは直後のクラスタ内アドレス情報と同じ’０’を、リンキング識別ビットは１を用いている。このようにリンキングエリアの識別ビットは１とし、それ以外のアドレスビットを直前または直後のクラスタのアドレス情報と同じにすることによって、ディスク上の物理位置にほぼ対応し、分かりやすいアドレス割付とすることができる。本例ではクラスタ内のアドレス情報と同じアドレスビット割付、エラー訂正符号を用いるため、リンキングエリアのアドレス復号は、新たなエラー訂正回路の追加なしで可能である。
【００４５】
フレーム同期符号の例を図５に示す。本例では１，７ＰＰ変調符号を例にとり説明する。一般に同期符号は、同期符号本体と、シンク番号で構成されている。同期符号本体としては１１Ｔ／１１Ｔのパターンが固定的に割り当てられ、シンク番号はそれに続くパターンで識別する。シンク番号は０から７がクラスタ内のフレームに割り当てられ、それぞれ同期符号のＦＳ０−ＦＳ７に対応する。リンキングエリアには８が割り当てられ、これは同期符号のＦＳ８に対応する。なお、同期符号のビット割付方法は他にも考えられ、その詳細なビット配置は本発明とは直接関係しない。
【００４６】
このようなフレーム同期符号を割り当てることにより、フレーム同期符号を再生するだけで直ちにリンキングエリアの再生中であることを認識でき、その直後に続くアドレス情報の再生に直ちに入ることができる。したがって、クラスタ内のアドレス再生を待つ必要もなく、直ちにアドレスを知ることができる。またアドレスはディスク上の場所を一意に決定できるように構成しているので、適切な光ディスク再生装置を設計すれば、リンキングエリアにシークした場合でも直ちに復調回路の初期化を行い、直後のクラスタ先頭からデータ再生を行うことも可能である。
【００４７】
補助情報の記録例を、図６に示す。６０１はクラスタ＃ｎ−１の再生に必要な補助情報、６０２はクラスタ＃ｎ、６０３はクラスタ＃ｎ手前のリンキングエリアの前半フレーム、６０４はクラスタ＃ｎ手前のリンキングエリアの後半フレーム、６０５はクラスタ＃ｎである。６０６はクラスタ＃ｎ直後のリンキングエリアの前半フレーム、６０７はクラスタ＃ｎ直後のリンキングエリアの後半フレーム、６０８はクラスタ＃ｎ＋１である。
【００４８】
補助情報６０１は、ディスク上には２分割され、６０３の位置と６０４の位置に分散して、それぞれのフレームに付加されているアドレス情報直後に記録する。６０３と６０４は、前述したようにクラスタ＃ｎの長さに相当する１２０フレーム分離れているので、バーストエラーの影響を軽減することができる。補助情報の例としては、クラスタに記録したデータのタイトル情報、日付情報、著作権情報などが考えられる。また補助情報にさらにエラー訂正符号を付加することも考えられる。
【００４９】
なお、本例では、補助情報６０１を、前後のリンキングエリア６０３と６０４に分散して記録したが、補助情報が重要な場合、あるいは補助情報のデータ容量が少なく、アドレス情報を除いた１フレーム内に収まる場合には、クラスタの前後６０４と６０６に同じ情報を２度記録することもできる。
【００５０】
また、本実施例では、ユーザデータ以外のデータとして、クラスタ内に分散配置されている制御情報と、リンキングエリア内の補助情報の２種類を説明したが、ユーザデータの再生時に用いる補助データという点では前記２種類は同じものであるが、記録領域の違いに応じて適切に使い分けることができる。
【００５１】
（実施の形態２）
次に、図７に本発明の第２の実施の形態における光ディスク再生装置を示す。この光ディスク装置で再生する光ディスクのフォーマットとしては、第１の実施の形態で説明した図１から図６のフォーマットを仮定する。図７において、７０１は再生専用光ディスク、７０２はスピンドルモータ、７０３は光ヘッド、７１７はサーボ制御部で、スピンドルモータの回転数、光ヘッドのフォーカス、トラッキング制御を行う。７０４はＲＦ信号処理部で、光ヘッド７０３のデテクタで検出された再生信号を増幅、イコライジングし、２値化データを得るためのものである。７０５は復調部でここでは１，７ＰＰ符号の復調を行う。７０６は同期符号検出部で、図５に例示したフレーム同期符号の検出を行うと同時に、クラスタ内に限定されているＦＳ０−ＦＳ７のフレーム同期符号が検出された場合には、クラスタ部データ制御回路７０７にタイミング信号を送出し、ＦＳ８同期符号が検出された場合には、リンキング部データ制御回路７１３にタイミング信号を送出し、クラスタ内データとリンキングエリアのデータを分離する役割を併せ持つ。本例では分かりやすくするために復調部と同期信号検出部を別個に示したが、実際の再生装置では一体として設計されることが多い。
【００５２】
クラスタ部データ制御回路７０７は、同期信号検出部７０６よりＦＳ０−ＦＳ７検出パルス７１８を受領後、エラー訂正処理が可能になるまで一定数のフレームにわたりデータをバッファリングしていく。クラスタデータエラー訂正部７０９はクラスタ部のデータに対してエラー訂正を実行する。エラー訂正されたクラスタのデータは、次にユーザデータ、制御情報、アドレス情報に応じて、それぞれユーザデータ再生部７０８、制御情報再生部７１０、アドレス情報再生部７１１にデータを振り分けられる。アドレス情報に対しては、アドレスエラー訂正部７１２によりエラー訂正処理が行われる。
【００５３】
リンキング部データ制御回路７１３は、同期信号検出部７０６からリンキングエリア特有のフレーム同期符号ＦＳ８検出パルス７１９を受領後、復調部７０５からのデータをバッファリングし、ＦＳ８直後のアドレス情報は、アドレス情報再生部７１４へ、補助情報は補助情報再生部７１５へそれぞれ送出する。アドレス情報は、クラスタ部と共通のアドレスエラー訂正回路７１２によってエラー訂正が行われる。本実施例では、エラー訂正フォーマットをクラスタ部とリンキングエリアで同じとすることにより、アドレスエラー訂正回路７１２は１個設けるだけでよい。
【００５４】
エラー訂正後のアドレス情報７２０は、アドレス情報再生部７１１およびアドレス情報再生部７１５のどちらからでも、システムを制御するＣＰＵ７１６に転送され、サーボ制御部７１７に伝達される。アドレス情報は、識別子判定部７１８にてリンキングエリア識別ビットを判定することにより、容易にクラスタ内に重畳されたものか、リンキングエリア内のアドレスか判定される。この部分はＣＰＵ７１６のソフトウエアとして構成しても良い。
【００５５】
補助情報再生部７１５は、クラスタ前後の補助情報をひとつにまとめて、後段のブロックまたはＣＰＵ７１６に伝達する。ＣＰＵ７１６は装置全体を制御して、シーク動作やデータ再生を可能にする。ユーザデータ再生部７０８、制御情報再生部７１０からは、さらに後続するブロックにデータが伝送され、光ディスクのコンテンツの再生が行われるのであるが、この部分は発明の本質と関係ないので説明を省略する。
【００５６】
次に、図８のフローチャートを用いて第２の実施の形態における光ディスク再生装置の動作について説明する。特に同期符号検出部７０６、クラスタ部データ制御回路７０７、リンキング部データ制御回路７１３の動作と、アドレス情報の再生動作について説明する。図８において、Ｓ１は同期符号を検出するステップである。Ｓ１において、クラスタ内の同期符号ＦＳ０−ＦＳ７が検出された場合には、Ｓ２ステップに移行し、フレーム単位でバッファリングが行われる。一定フレーム数がバッファリングされた後、ステップＳ３のインタリーブ解除処理、ステップＳ４のクラスタデータのエラー訂正処理が行われる。次にステップＳ５にてアドレス情報の抽出とエラー訂正処理が行われ、抽出されたアドレス情報はステップＳ６にてサーボ制御部に伝達され、ＣＰＵの制御によりシーク動作などが行われる。ユーザデータはステップＳ７で後段に送出され、制御情報は必要に応じステップＳ８にて再生される。
【００５７】
次に同期符号としてＦＳ８が検出された場合、ステップＳ９にて後続するアドレス情報のバッファリングが行われ、ステップＳ１０にてエラー訂正が行われた後、ステップＳ11にてクラスタ部同様、サーボ制御部へアドレス情報が伝達される。必要に応じ、アドレス直後の補助情報のバッファリングがステップＳ１２で、バッファリングされたクラスタ前後補助情報の接合がステップ１３で行われる。
【００５８】
本実施例では、最初にステップＳ１にてフレーム同期符号でリンキングエリアの識別をすることにより、リンキングエリアのアドレス再生処理が格段に簡単な処理ステップとして実行できる。また、特にステップＳ１１を含むことにより、リンキングエリア近傍にシークした場合、クラスタ内アドレスが再生できる前に、リンキングエリアにてアドレスを再生、エラー訂正し、ステップＳ１１にてサーボ制御部へすばやくアドレス情報を渡すことができるという利点を有する。また、補助情報をクラスタ前後にバッファリング、再生するステップＳ１３を含むことにより、バースト誤りの補助情報への影響を軽減することが可能となる。また、本実施例では、クラスタ内のアドレスとリンキングエリアでアドレスの重複がないので、万一フレーム同期符号が間違って検出された場合でも、アドレス情報を正しく把握することができ、リンキングエリアにシークした場合でも、次のクラスタから再生処理を開始することも可能である。
【００５９】
なお、本実施例では、アドレスエラー訂正のステップＳ５をクラスタデータのエラー訂正ステップＳ4の後としたが、ステップＳ４の前にアドレスのエラー訂正を行うこともできる。
【００６０】
なお、本実施例では、リンキングエリア識別ビットを用いたが、クラスタとリンキングエリアで重複のない物理アドレスを割り当てることなどにより、同様の効果を得ることができる。
【００６１】
（実施の形態３）
次に、図９に本発明の第３の実施の形態における光ディスク記録装置を示す。この光ディスク装置で記録する光ディスクのフォーマットとしては、第１の実施の形態で説明した図１から図６のフォーマットを仮定する。図９において９０１は光ディスク、９０２はディスクモータ、９１５は光ヘッドで、光ヘッドには光ディスクにデータを記録するためのレーザが搭載されている。９１７はスピンドル制御部でディスクモータの回転数を示すＦＧ信号が入力され、回転数が基準値と一致するようにディスクモータ９０２を駆動する。９０３はユーザデータ生成部で、外部からのユーザデータを受信する。９０４は制御情報生成部で、外部からの制御情報を必要に応じ受信する。制御情報はコントローラＣＰＵ９１８により生成される場合もある。９０５はアドレス情報生成部で、コントローラＣＰＵ９１８によりアドレス情報が順次設定される。９０６はアドレス情報ＥＣＣエンコード部で、アドレス情報にパリティーを付加する。９０７はクラスタ部インタリーブ回路で、ユーザデータと制御情報とアドレス情報をインタリーブし、クラスタデータＥＣＣエンコード部９０８によりパリティーが付加される。
【００６２】
９０９はアドレス情報生成部で、コントローラＣＰＵ９１８によりアドレス情報が順次設定される。アドレス情報は、アドレス情報ＥＣＣエンコード部９０６によりパリティーが付加される。９１０は補助情報生成部で、必要に応じ外部から補助情報を受信する。９１１はリンキング部インタリーブ回路で、アドレス情報に続けて補助情報を、前後のリンキングエリアに分散して配置する。配置の詳細は図６にて説明したとおりである。９１３は同期信号生成部で、クラスタ部の記録の場合にはＦＳ０−ＦＳ７を生成し、リンキングエリアの記録の場合にはＦＳ８を生成する。同期符号は変調部９１２にてデータと一体となって変調される。変調されたデータは図２に示したクラスタ構造になるように、コントローラＣＰＵ９１８にて全体が制御される。クラスタの記録の後にはリンキングエリアを記録するように、同じくコントローラＣＰＵ９１８が変調部９１２や同期符号生成部９１３を制御する。このようにして変調されたデータはレーザ駆動部９１４に送られ、レーザ駆動部９１４は光ヘッド９１５内のレーザを変調する。コントローラＣＰＵ９１８は前述の制御のほか、装置全体の制御も受け持つ。
【００６３】
次に図１０のフローチャートを用いて本発明の第３の実施の形態における光ディスク記録装置の動作について説明する。図１０において、Ｓ１５はユーザデータを受信するステップで、必要に応じて制御情報を受信するステップＳ１６が加わる。コントローラＣＰＵなどにより記録データに対応したディスク上のアドレス情報が次のステップＳ１７で決定され、ステップＳ１８でアドレス情報のＥＣＣエンコードが行われる。ステップＳ１９においてクラスタに記録するユーザデータ、制御情報、アドレス情報のインタリーブとバッファリングがおこなわれ、ステップＳ２０にてクラスタ記録データのＥＣＣエンコードが行われる。次にステップＳ２１にて必要に応じ補助情報を受信し、ステップＳ２２にてリンキングエリアに記録可能なようにアドレス情報、補助情報が準備される。ステップＳ２３にてディスクモータが一定回転に達していた場合、データの記録動作が開始される。記録データはクラスタとリンキングエリアが交互に記録されるようにステップＳ２４にて分岐し、クラスタ領域の場合には、ステップＳ２５に示されるようにＦＳ０−ＦＳ７が各フレームに順次つけられてデータが変調され、リンキングエリアの場合には、ステップＳ２６に示されるように、リンキングエリア特有の同期符号ＦＳ８が各フレームに付けられてデータが変調され記録される。記録が終了する場合は、ステップＳ２７にてループから抜ける。
【００６４】
本実施例では、リンキングエリアの各フレームに同じ同期符号ＦＳ８がつくとしたが、リンキングエリアが複数フレームある場合は、異なった同期符号を用いても良い。また特にリンキングエリアのフレーム数が多い場合には、必ずしもすべてのフレームで、クラスタに存在しない同期符号とアドレス情報を挿入する必要はない。
【００６５】
【発明の効果】
本発明によれば、リンキングエリアにアドレスを持つことにより、リンキングエリア直前およびリンキングエリア内にシークした場合のアドレス再生時間を短縮することができる。
【００６６】
また、リンキングエリアにユニークなフレーム同期符号を配することにより、直後に続くアドレス情報を容易に識別できる。
【００６７】
また、ユーザデータの記録されたクラスタに存在するアドレス情報と、リンキングエリアのアドレス情報とで同じエラー訂正符号を用いることにより、光ディスクおよび光ディスク再生装置を容易に構成できる。
【００６８】
また、ユーザデータの記録領域とリンキングエリアを明確に区別できるアドレス情報、または識別子を配することにより、リンキングエリア近傍にシークした場合のアドレス位置確定がより容易となる。
【００６９】
一般に再生専用光ディスクでは、リンキングエリアは必要ないが、本実施例によれば、再生専用光ディスクにおいてもリンキングエリアを確保し、書き換え型光ディスクと互換性のあるフォーマットを維持した上で、リンキングエリアの記録容量をアドレス情報やユーザデータの再生補助情報として有効に活用した光ディスクや光ディスク再生装置、光ディスク再生方法を構築できる。
【図面の簡単な説明】
【図１】本発明の光ディスクにおけるアドレス情報の説明図である。
【図２】本発明の光ディスクにおけるクラスタの構成図である。
【図３】本発明の光ディスクにおけるクラスタとリンキングエリアの関係図である。
【図４】本発明の光ディスクにおけるリンキングエリアの詳細構成図である。
【図５】本発明の光ディスクにおけるフレーム同期符号の説明図である。
【図６】本発明の光ディスクにおける補助情報記録例の説明図である。
【図７】本発明の第２の実施形態における光ディスク再生装置の構成図である。
【図８】本発明の第２の実施形態における光ディスク再生装置の動作を説明するフローチャートである。
【図９】本発明の第３の実施形態における光ディスク記録装置の構成図である。
【図１０】本発明の第３の実施形態における光ディスク記録装置の動作を説明するフローチャートである。
【符号の説明】
１００  アドレス情報
１０１  クラスタ識別ビット
１０２  クラスタ内オフセットビット
１０３  リンキングエリア識別ビット
１０４  エラー訂正符号
２０１  フレーム同期符号
２０２  アドレス情報
２０３  ユーザデータ
２０４  制御情報
２０５  アドレス情報
３０１、３０３、３０５  リンキングエリア
３０２、３０４  クラスタ
４０１  直前のクラスタの最終フレームの同期符号
４０２  直前のクラスタの最終フレーム
４０３  リンキングエリアの最初のフレーム同期符号
４０４  アドレス情報
４０５  補助情報
４０６  リンキングエリアの２番目のフレーム同期符号
４０７  リンキングエリアの２番目のアドレス情報
４０８  リンキングエリアの２番目の補助情報
４０９  直後のクラスタの最初のフレームの同期符号
４１０  直後のクラスタの最初のフレーム
６０１  補助情報
６０２  クラスタ＃ｎ−１
６０３  直前のリンキングエリアの前半部分
６０４  直前のリンキングエリアの後半部分
６０５  クラスタ＃ｎ
６０６  直後のリンキングエリアの前半部分
６０７  直後のリンキングエリアの後半部分
６０８  クラスタ＃ｎ＋１
７０１  光ディスク
７０２  ディスクモータ
７０３  光ヘッド
７０４  ＲＦ信号処理部
７０５  復調部
７０６  同期符号検出部
７０７  クラスタ部データ制御回路
７０８  ユーザデータ再生部
７０９  クラスタデータエラー訂正部
７１０  制御情報再生部
７１１  アドレス情報再生部
７１２  アドレスエラー訂正部
７１３  リンキング部データ制御回路
７１４  アドレス情報再生部
７１５  補助情報再生部
７１６  ＣＰＵ
７１７  サーボ制御部
７１８  ＦＳ０−ＦＳ７検出信号
７１９  ＦＳ８検出信号
７２０  アドレス情報信号
９０１  光ディスク
９０２  ディスクモータ
９０３  ユーザデータ生成部
９０４  制御情報生成部
９０５  アドレス情報生成部
９０６  アドレス情報ＥＣＣエンコード部
９０７  クラスタ部インタリーブ回路
９０８  クラスタデータＥＣＣエンコード部
９０９  アドレス情報生成部
９１０  補助情報生成部
９１１  リンキング部インタリーブ回路
９１２  変調部
９１３  同期信号生成部
９１４  レーザ駆動部
９１５  光ヘッド
９１７  スピンドル制御部
９１８  コントローラＣＰＵ
【図１】
2004206779.tif 000003
【図２】
2004206779.tif 000004
【図３】
2004206779.tif 000005
【図４】
2004206779.tif 000006
【図５】
2004206779.tif 000007
【図６】
2004206779.tif 000008
【図７】
2004206779.tif 000009
【図８】
2004206779.tif 000010
【図９】
2004206779.tif 000011
【図１０】
2004206779.tif 000012